(57)【特許請求の範囲】
【請求項１】
下記の潤滑成分と下記の殺菌成分とが該潤滑成分／該殺菌成分＝１０／９０〜３０／７０（重量比）の割合から成ることを特徴とするコンベアベルト用殺菌潤滑剤。
潤滑成分：下記の式１で示される酸性リン酸エステル及び該酸性リン酸エステルを塩基性化合物で中和したリン酸エステル塩から選ばれる一つ又は二つ以上の有機リン酸エステル化合物
【式１】
0003928991.tif 000007
｛式１において、
Ｒ1：炭素数８〜１８のアルキル基又は炭素数８〜１８のアルケニル基
（ＯＡ1）：炭素数２〜４のオキシアルキレン単位の繰り返し数で構成されたポリオキシアルキレン基であって、該オキシアルキレン単位の繰り返し数が２〜１０であり、且つ該オキシアルキレン単位としてオキシエチレン単位を１０〜７０モル％有するポリオキシアルキレン基
Ｘ1：水素又は下記の式２で示される有機基
【式２】
0003928991.tif 000008
（式２において、
Ｒ2：炭素数８〜１８のアルキル基又は炭素数８〜１８のアルケニル基
（ＯＡ2）：炭素数２〜４のオキシアルキレン単位の繰り返し数で構成されたポリオキシアルキレン基であって、該オキシアルキレン単位の繰り返し数が２〜１０であり、且つ該オキシアルキレン単位としてオキシエチレン単位を１０〜７０モル％含有するポリオキシアルキレン基）｝
殺菌成分：アルキル基の炭素数が８〜１８であるアルキル（アミノエチル）グリシン塩、アルキル基の炭素数が８〜１８であるアルキルトリメチルアンモニウム塩、アルキル基の炭素数が８〜１８であるジアルキルジメチルアンモニウム塩及びアルキル基の炭素数が８〜１８であるアルキルジメチルベンジルアンモニウム塩から選ばれる一つ又は二つ以上
【請求項２】
酸性リン酸エステルが、式１中のＸ1が水素である場合の酸性リン酸エステル／式１中のＸ1が式２で示される有機基である場合の酸性リン酸エステル＝７０／３０〜１００／０（モル比）の混合物である請求項１記載のコンベアベルト用殺菌潤滑剤。
【請求項３】
酸性リン酸エステルが、式１中のＸ1が水素であり且つＲ1が炭素数１０〜１４のアルキル基である場合の酸性リン酸エステルと式１中のＸ1が式２で示される有機基であり且つ式１中のＲ1及び式２中のＲ2が共に炭素数１０〜１４のアルキル基である場合の酸性リン酸エステルとの混合物である請求項１又は２記載のコンベアベルト用殺菌潤滑剤。
【請求項４】
請求項１、２又は３記載のコンベアベルト用殺菌潤滑剤を０．０５〜１重量％の水性液となし、該水性液をコンベアベルト１ｍ2当たり３〜３００mlの割合でコンベアベルトに供給することを特徴とするコンベアベルトの殺菌潤滑方法。
【請求項５】
更に次亜塩素酸塩を、コンベアベルト用殺菌潤滑剤１００重量当たり０．１〜４０重量部の割合でコンベアベルトに供給する請求項４記載のコンベアベルトの殺菌潤滑方法。
【発明の詳細な説明】
【０００１】
【発明の属する技術分野】
本発明はコンベアベルト用殺菌潤滑剤及びコンベアベルトの殺菌潤滑方法に関する。アルコール飲料、清涼飲料、果実或は野菜ジュース、牛乳等の容器詰工程では、これらを充填密封するビン、缶、プラスチック等の容器の移送にコンベアベルトが使用される。かかるコンベアベルトには一般に、その表面と容器との間の動摩擦力を低下させて容器の円滑な移送を促すと共に雑菌汚染を防止するため、コンベアベルト用殺菌潤滑剤が使用される。容器詰工程の一層の高速化及び無菌化が図られる近年においては、コンベアベルト用殺菌潤滑剤に対しても、このような高速化及び無菌化に対応できる高性能のコンベアベルト用殺菌潤滑剤の出現が要請されるのはいうまでもない。本発明はかかる要請に応えるコンベアベルト用殺菌潤滑剤及びコンベアベルトの殺菌潤滑方法に関する。
【０００２】
【従来の技術】
従来、コンベアベルト用殺菌潤滑剤として、１）グリシン誘導体を用いた例（特公昭４９−１０７９４）、２）両性活性剤や第四級アンモニウム塩型カチオン界面活性剤とＮ−高級アルキルグリシンや高級アルキルアミンとを用いた例（特公昭４９−１７９９３）、３）カチオン界面活性剤と高級脂肪酸石鹸とを用いた例（特開平１−９６２９４）、４）第四級アンモニウム型カチオン界面活性剤とポリオキシエチレンアルキルエーテルリン酸エステルとを用いた例（特開平２−９７５９２）等が提案されている。ところが、これら従来のコンベアベルト用殺菌潤滑剤では、１）潤滑性を充足しようとすると殺菌性が不足し、逆に殺菌性を充足しようとすると潤滑性が不足して、潤滑性及び殺菌性を同時に充足できず、また２）泡立ちが激しく、これによって例えば床面が汚染され、これらの１）及び２）はコンベアベルトの高速走行時において特に問題になる。
【０００３】
コンベアベルト用潤滑剤としては、５）ポリオキシエチレンアルキルエーテルリン酸エステルにアルキルジアミン或はアルキルトリアミンを用いた例（特開平６−３３００７９）、６）モノポリオキシエチレングリコールアルキルエーテルリン酸エステル塩を用いた例（特開昭６０−４９０９５）、７）カルボキシル化ノニオン界面活性剤或はザルコシン型界面活性剤を用いた例（ＥＰ００４４４５８、ＵＳＰ３７６６０６８）、８）アルキルベンゼンスルホン酸塩とアルコキシル化アルカノールホスフェートと不飽和アルカンカルボン酸とを用いた例（特開平２−１１５２９６）等が提案されている。ところが、これら従来のコンベアベルト用潤滑剤を従来公知の殺菌剤と併用しても、従来のコンベアベルト用殺菌潤滑剤について前述したことと同様の問題がある。
【０００４】
【発明が解決しようとする課題】
本発明が解決しようとする課題は、従来のコンベアベルト用殺菌潤滑剤では、潤滑性及び殺菌性を同時に充足できず、また泡立ちが激しく、これらはコンベアベルトの高速走行時において特に問題になるという点である。
【０００５】
【課題を解決するための手段】
しかして本発明者らは、上記課題を解決するべく研究した結果、特定の潤滑成分と特定の殺菌成分とがそれぞれ所定割合から成る殺菌潤滑剤が正しく好適であることを見出した。
【０００６】
すなわち本発明は、下記の潤滑成分と下記の殺菌成分とが該潤滑成分／該殺菌成分＝１０／９０〜３０／７０（重量比）の割合から成ることを特徴とするコンベアベルト用殺菌潤滑剤と、これを用いるコンベアベルトの殺菌潤滑方法とに係る。
【０００７】
潤滑成分：下記の式１で示される酸性リン酸エステル及び該酸性リン酸エステルを塩基性化合物で中和したリン酸エステル塩から選ばれる一つ又は二つ以上の有機リン酸エステル化合物
【０００８】
【式１】
0003928991.tif 000002
【０００９】
式１において、
Ｒ1：炭素数８〜１８のアルキル基又は炭素数８〜１８のアルケニル基
（ＯＡ1）：炭素数２〜４のオキシアルキレン単位の繰り返し数で構成されたポリオキシアルキレン基であって、該オキシアルキレン単位の繰り返し数が２〜１０であり、且つ該オキシアルキレン単位としてオキシエチレン単位を１０〜７０モル％有するポリオキシアルキレン基
Ｘ1：水素又は下記の式２で示される有機基
【００１０】
【式２】
0003928991.tif 000003
【００１１】
式２において、
Ｒ2：炭素数８〜１８のアルキル基又は炭素数８〜１８のアルケニル基
（ＯＡ2）：炭素数２〜４のオキシアルキレン単位の繰り返し数で構成されたポリオキシアルキレン基であって、該オキシアルキレン単位の繰り返し数が２〜１０であり、且つ該オキシアルキレン単位としてオキシエチレン単位を１０〜７０モル％含有するポリオキシアルキレン基
【００１２】
殺菌成分：アルキル基の炭素数が８〜１８であるアルキル（アミノエチル）グリシン塩、アルキル基の炭素数が８〜１８であるアルキルトリメチルアンモニウム塩、アルキル基の炭素数が８〜１８であるジアルキルジメチルアンモニウム塩及びアルキル基の炭素数が８〜１８であるアルキルジメチルベンジルアンモニウム塩から選ばれる一つ又は二つ以上
【００１３】
本発明において、潤滑成分として用いる有機リン酸エステル化合物には、式１で示される酸性リン酸エステル、式１で示される酸性リン酸エステルを塩基性化合物で中和したリン酸エステル塩が包含される。
【００１４】
式１で示される酸性リン酸エステルには、１）アルキル・ポリオキシアルキレン・ジハイドロジェンホスフェート、２）アルケニル・ポリオキシアルキレン・ジハイドロジェンホスフェート、３）ジ（アルキル・ポリオキシアルキレン）・モノハイドロジェンホスフェート、４）ジ（アルケニル・ポリオキシアルキレン）・モノハイドロジェンホスフェートが包含される。かかる酸性リン酸エステルは、脂肪族高級アルコールに低級アルキレンオキサイドを逐次開環付加重合して脂肪族高級アルコールポリアルコキシレートとし、この脂肪族高級アルコールポリアルコキシレートをリン酸化剤を用いてリン酸エステル化したものである。
【００１５】
式１で示される酸性リン酸エステルの合成に供する脂肪族高級アルコールとしては、１）炭素数が８〜１８の、直鎖飽和１級アルコール、側鎖を有する飽和１級アルコール及び直鎖飽和２級アルコール、２）炭素数が１６〜１８の直鎖不飽和１級アルコール等が挙げられるが、なかでも炭素数が１０〜１４の飽和１級アルコールが好ましく、炭素数が１０〜１４の直鎖飽和１級アルコールが特に好ましい。
【００１６】
式１で示される酸性リン酸エステルの合成に供する低級アルキレンオキサイドとしては、エチレンオキサイド、プロピレンオキサイド及びブチレンオキサイドが挙げられる。脂肪族高級アルコールに低級アルキレンオキサイドを逐次開環付加重合した脂肪族高級アルコールポリアルコキシレートにおいて、低級アルキレンオキサイドの付加モル数は２〜１０とするが、２〜６とするのが好ましい。また脂肪族高級アルコールポリアルコキシレートとしては、低級アルキレンオキサイドとしてエチレンオキサイドを１０〜７０モル％含有するものを反応させたものとするが、３０〜５０モル％含有するものを反応させたものが好ましい。
【００１７】
本発明において、式１で示される酸性リン酸エステルは、前記した脂肪族高級アルコールポリアルコキシレートをリン酸化剤でリン酸エステル化したものである。本発明はリン酸化剤の種類やその方法を限定するものではなく、これにはリン酸化剤としてオキシ塩化リンや無水リン酸を用いる公知の方法が適用できる。この場合、生成する酸性リン酸エステルは通常、モノハイドロジェンホスフェートとジハイドロジェンホスフェートとの混合物となるが、かかる混合物のうちではモノハイドロジェンホスフェート／ジハイドロジェンホスフェート＝７０／３０〜１００／０（モル比）の割合のものが好ましい。
【００１８】
本発明のコンベアベルト用殺菌潤滑剤の潤滑成分は、前記した酸性リン酸エステル及び該酸性リン酸エステルを塩基性化合物で中和したリン酸エステル塩から選ばれる一つ又は二つ以上の有機リン酸エステル化合物である。
【００１９】
本発明は酸性リン酸エステルを中和するのに用いる塩基性化合物を特に制限するものではなく、かかる塩基性化合物としては、アルカリ金属水酸化物、アルカノールアミン、Ｎ−アルキル置換アルカノールアミン、ポリオキシエチレンアルキルアミノエ−テル等が挙げられるが、なかでもアルカノールアミンが好ましく、トリエタノールアミン、ジエタノールアミンが特に好ましい。
【００２０】
本発明は潤滑成分として用いる有機リン酸エステル化合物の合成方法を限定するものではなく、これには公知の合成方法を適用できる。例えば、１）脂肪族高級アルコールに塩基性触媒存在下で低級アルキレンオキサイドを逐次開環付加重合して脂肪族高級アルコールポリアルコキシレートとし、該脂肪族高級アルコールポリアルコキシレートの水酸基に無水リン酸やオキシ塩化リン等のリン酸化剤を反応させて酸性リン酸エステルとする方法、２）上記１）で得られた酸性リン酸エステルを塩基性化合物を用いて中和し、リン酸エステル塩とする方法が挙げられる。
【００２１】
本発明のコンベアベルト用殺菌潤滑剤の殺菌成分は、１）オクチル（アミノエチル）グリシン塩のようなアルキル基の炭素数が８〜１８であるアルキル（アミノエチル）グリシン塩、２）ラウリルトリメチルアンモニウムクロライド、セチルトリメチルアンモニウムブロマイド等のアルキル基の炭素数が８〜１８であるアルキルトリメチルアンモニウム塩、３）ジオクチルジメチルアンモニウムクロライド、ジデシルジメチルアンモニウムクロライド、ジラウリルジメチルアンモニウムクロライド等のアルキル基の炭素数が８〜１８であるジアルキルジメチルアンモニウム塩及び４）ラウリルジメチルベンジルアンモニウムクロライドのようなアルキル基の炭素数が８〜１８であるアルキルジメチルベンジルアンモニウム塩から選ばれる一つ又は二つ以上であるが、なかでもジデシルジメチルアンモニウムクロライド、ラウリルジメチルベンジルアンモニウムクロライドが好ましい。
【００２２】
本発明のコンベアベルト用殺菌潤滑剤は、以上説明したような潤滑成分と殺菌成分とが該潤滑成分／該殺菌成分＝１０／９０〜３０／７０（重量比）の割合から成るものであるが、該潤滑成分／該殺菌成分＝１５／８５〜２５／７５（重量比）の割合から成るものが好ましい。
【００２３】
本発明のコンベアベルト用殺菌潤滑剤を用いてコンベアベルトを殺菌潤滑する場合、本発明のコンベアベルト用殺菌潤滑剤を水で０．０５〜１重量％の水性液となし、該水性液をコンベアベルトに供給する。水性液のコンベアベルトに対する供給量は、コンベアベルト１ｍ2当たり３〜３００mlの割合とするが、１０〜１００mlの割合とするのが好ましい。供給方法は、特に制限されず、公知の方法が適用できる。例えば、コンベアベルト用殺菌潤滑剤を水希釈するミキシングタンクに定量ポンプを接続し、該定量ポンプに供給管を接続して、該供給管の先端にコンベアネルトを臨むノズルを取付け、ミキシングタンク内の水性液を定量ポンプ→供給管→ノズルの経路でコンベアベルト上にスプレーする。
【００２４】
本発明のコンベアベルト用殺菌潤滑剤の水性液は、公知の殺菌剤である次亜塩素酸塩の水溶液に対して安定であるため、これを併用することにより、殺菌性を更に高めることができる。この場合、次亜塩素酸塩の使用量は、コンベアベルト用殺菌潤滑剤１００重量部当たり０．１〜４０重量部の割合となるようにする。本発明は、コンベアベルト用殺菌潤滑剤の水性液と次亜塩素酸の水溶液とをコンベアベルトに供給する方法を特に制限するものではなく、これには例えば、１）コンベアベルト用殺菌潤滑剤の水性液と次亜塩素酸の水溶液との混合液をコンベアベルトに供給する方法、２）コンベアベルト用殺菌潤滑剤の水性液と次亜塩素酸の水性液とを別々にコンベアベルトに供給する方法が挙げられる。
【００２５】
本発明のコンベアベルト用殺菌潤滑剤をコンベアベルトに供給するに際しては、各種の軟水化剤、消泡剤、安定化剤等を適宜使用できるが、これらの使用量は可及的に少量とするのが好ましい。
【００２６】
【発明の実施の形態】
本発明に係るコンベアベルト用殺菌潤滑剤の実施形態としては、次の１）〜５）が挙げられる。
１）ラウリル・ポリ｛オキシプロピレン（２モル、以下ｍ＝２とする）・オキシエチレン（１モル、以下ｎ＝１とする）｝・ジハイドロジェンホスフェート｛式１中のＲ1がラウリル基、（ＯＡ1）がオキシアルキレン単位の繰り返し数が３で且つオキシエチレン単位の割合が３３モル％のポリオキシアルキレン基、Ｘ1が水素｝／ジ［ラウリル・ポリ｛オキシプロピレン（ｍ＝２）・オキシエチレン（ｎ＝１）｝］・モノハイドロジェンホスフェート｛式１中のＲ1がラウリル基、（ＯＡ1）がオキシアルキレン単位の繰り返し数が３で且つオキシエチレン単位の割合が３３モル％のポリオキシアルキレン基、Ｘ1が式２で示される有機基であって、式２中のＲ2がラウリル基、（ＯＡ2）がオキシアルキレン単位の繰り返し数が３で且つオキシエチレン単位の割合が３３モル％のポリオキシアルキレン基｝＝９０／１０（モル比）の混合物である酸性リン酸エステルをジエタノールアミンで中和した有機リン酸エステル化合物（Ｐ−１）と、ジデシルジメチルアンモニウムクロライドとが、有機リン酸エステル化合物（Ｐ−１）／ジデシルジメチルアンモニウムクロライド＝２０／８０（重量比）の割合から成るコンベアベルト用殺菌潤滑剤。
【００２７】
２）ラウリル・ポリ｛オキシプロピレン（ｍ＝２）・オキシエチレン（ｎ＝２）｝・ジハイドロジェンホスフェート｛式１中のＲ1がラウリル基、（ＯＡ1）がオキシアルキレン単位の繰り返し数が４で且つオキシエチレン単位の割合が５０モル％のポリオキシアルキレン基、Ｘ1が水素｝／ジ［ラウリル・ポリ｛オキシプロピレン（ｍ＝２）・オキシエチレン（ｎ＝２）｝］・モノハイドロジェンホスフェート｛式１中のＲ1がラウリル基、（ＯＡ1）がオキシアルキレン単位の繰り返し数が４で且つオキシエチレン単位の割合が５０モル％のポリオキシアルキレン基、Ｘ1が式２で示される有機基であって、式２中のＲ2がラウリル基、（ＯＡ2）がオキシアルキレン単位の繰り返し数が４で且つオキシエチレン単位の割合が５０モル％のポリオキシアルキレン基｝＝９０／１０（モル比）の混合物である酸性リン酸エステルをモノエタノールアミンで中和した有機リン酸エステル化合物（Ｐ−２）と、ラウリルジメチルベンジルアンモニウムクロライドとが、有機リン酸エステル化合物（Ｐ−２）／ラウリルジメチルベンジルアンモニウムクロライド＝２０／８０（重量比）の割合から成るコンベアベルト用殺菌潤滑剤。
【００２８】
３）トリデシル・ポリ｛オキシプロピレン（ｍ＝４）・オキシエチレン（ｎ＝２）｝・ジハイドロジェンホスフェート｛式１中のＲ1がラウリル基、（ＯＡ1）がオキシアルキレン単位の繰り返し数が６で且つオキシエチレン単位の割合が３３モル％のポリオキシアルキレン基、Ｘ1が水素｝／ジ［ラウリル・ポリ｛オキシプロピレン（ｍ＝４）・オキシエチレン（ｎ＝２）｝］・モノハイドロジェンホスフェート｛式１中のＲ1がラウリル基、（ＯＡ1）がオキシアルキレン単位の繰り返し数が６で且つオキシエチレン単位の割合が３３モル％のポリオキシアルキレン基、Ｘ1が式２で示される基であって、式２中のＲ2がラウリル基、（ＯＡ2）がオキシアルキレン単位の繰り返し数が６で且つオキシエチレン単位の割合が３３モル％のポリオキシアルキレン基｝＝７５／２５（モル比）の混合物である酸性リン酸エステルをジエタノールアミンで中和した有機リン酸エステル化合物（Ｐ−３）と、ジデシルジメチルアンモニウムクロライドとが、有機リン酸エステル化合物（Ｐ−３）／ジデシルジメチルアンモニウムクロライド＝２０／８０（重量比）の割合から成るコンベアベルト用殺菌潤滑剤。
【００２９】
４）オレイル・ポリ｛オキシプロピレン（ｍ＝２）・オキシエチレン（ｎ＝２）｝・ジハイドロジェンホスフェート｛式１中のＲ1がオレイル基、（ＯＡ1）がオキシアルキレン単位の繰り返し数が４で且つオキシエチレン単位の割合が５０モル％のポリオキシアルキレン基、Ｘ1が水素｝／ジ［オレイル・ポリ｛オキシプロピレン（ｍ＝２）・オキシエチレン（ｎ＝２）｝］・モノハイドロジェンホスフェート｛式１中のＲ1がオレイル基、（ＯＡ1）がオキシアルキレン単位の繰り返し数が４で且つオキシエチレン単位の割合が５０モル％のポリオキシアルキレン基、Ｘ1が式２で示される有機基であって、式２中のＲ2がオレイル基、（ＯＡ2）がオキシアルキレン単位の繰り返し数が４で且つオキシエチレン単位の割合が５０モル％のポリオキシアルキレン基｝＝９０／１０（モル比）の混合物である酸性リン酸エステルをモノエタノールアミンで中和した有機リン酸エステル化合物（Ｐ−４）と、オクチル（アミノエチル）グリシン塩酸塩とが、有機リン酸エステル化合物（Ｐ−４）／ラウリルトリメチルアンモニウムクロライド＝２０／８０（重量比）の割合から成るコンベアベルト用殺菌潤滑剤。
【００３０】
５）前記１）の有機リン酸エステル化合物（Ｐ−１）と、ラウリルジメチルベンジルアンモニウムクロライドとが、有機リン酸エステル化合物（Ｐ−１）／オクチル（アミノエチル）グリシン塩酸塩＝２０／８０（重量比）の割合から成るコンベアベルト用殺菌潤滑剤。
【００３１】
本発明に係るコンベアベルトの殺菌潤滑方法の実施形態としては、次の６）、７）が挙げられる。
６）前記１）〜５）のいずれかのコンベアベルト用殺菌潤滑剤を０．２重量％の水性液となし、該水性液をコンベアベルト１ｍ2当たり１５mlの割合で供給するコンベアベルトの殺菌潤滑方法。
【００３２】
７）前記１）〜５）のいずれかのコンベアベルト用殺菌潤滑剤を０．２重量％の水性液となし、該水性液をコンベアベルト１ｍ2当たり１５mlの割合で供給すると共に、次亜塩素酸塩の水溶液を該コンベアベルト用殺菌潤滑剤１００重量部当たり次亜塩素酸塩として０．５重量部の割合となるようコンベアベルトに供給するコンベアベルトの殺菌潤滑方法。
【００３３】
以下、本発明の構成及び効果をより具体的に示すために実施例等を挙げるが、本発明がこれらの実施例に限定されるというものではない。尚、以下の実施例等において、部は重量部を、または％は重量％を意味する。
【００３４】
【実施例】
試験区分１（潤滑成分としての有機リン酸エステル化合物の合成）
特公昭６０−４３４６８号公報に記載の方法にしたがって、ラウリルアルコールポリアルコキシレート（オキシアルキレン単位の繰り返し数３）３モルと五酸化リン１モルとから酸性リン酸エステルを得た後、この酸性リン酸エステルをジエタノールアミンで中和して有機リン酸エステル化合物（Ｐ−１）を得た。同様にして、有機リン酸エステル化合物（Ｐ−２）〜（Ｐ−４）及び（Ｒ−１）〜（Ｒ−５）を得た。これらの有機リン酸エステル化合物の内容を表１にまとめて示した。
【００３５】
【表１】
0003928991.tif 000004
【００３６】
表１において、
式１中の（ＯＡ1），式２中の（ＯＡ2）：高級脂肪族アルコールに上段のオキシアルキレン単位に相当するアルキレンオキサイドを開環付加重合し、次に下段のオキシアルキレン単位に相当するアルキレンオキサイドを開環付加（重合）した
ＯＥ：オキシエチレン単位
ＯＰ：オキシプロピレン単位
ＤＥＡ：ジエタノールアミン
ＭＥＡ：モノエタノールアミン
【００３７】
試験区分２（コンベアベルト用殺菌潤滑剤の水性原液の調製）
試験区分１で調製した有機リン酸エステル化合物（Ｐ−１）２０部、ジデシルジメチルアンモニウムクロライド８０部及び水４００部を室温で均一になるまで混合してコンベアベルト用殺菌潤滑剤（Ｔ−１）の２０％水性原液を調製した。同様にしてコンベアベルト用殺菌潤滑剤（Ｔ−２）〜（Ｔ−４）及び（ｔ−１）〜（ｔ−１５）の水性原液を調製した。調製した各水性原液について、水を除くコンベアベルト用殺菌潤滑剤の内容を表２にまとめて示した。
【００３８】
試験区分３（コンベアベルト用殺菌潤滑剤の評価）
・潤滑性の評価
図１に示した試験機を用いて行なった。該試験機は、モータ１でチェーン２を介し回転する駆動スプロケット３と遊動スプロケット４との間に無端のコンベアベルト５が装着されており、コンベアベルト５に載置されたボトル６に巻付けられている糸７の基端部がプーリ８を介し荷重計９へと接続されていて、コンベアベルト５の左縁部において容器１０に充填されている殺菌潤滑剤の水性液が供給され、またコンベアベルト５の右縁部において洗浄水が供給されるようになっているものである。殺菌潤滑剤の水性液及び洗浄水を供給しつつコンベアベルト５を右回転させると、コンベアベルト５に載置されているボトル６に荷重が加わるので、該荷重を糸７を介し荷重計９で測定する。荷重の測定は、下記条件下において、運転開始から２分毎に３０分間行ない、その平均値を求め、以下の基準で評価した。結果を表２にまとめて示した。
・・条件
ベルトスピード；５０ｍ／分
殺菌潤滑剤の水性液の供給；試験区分２で調製した各水性原液を更に水希釈して０．２％水性液となし、この水性液をコンベアベルト１ｍ2当たり１５mlの割合で供給した
洗浄水供給；５リットル／分
使用ボトル；６３３mlビールビン４本
・・評価基準
◎：平均値が４００ｇ未満で優れて良好
○：平均値が４００ｇ以上、７００ｇ未満で良好
△：平均値が７００ｇ以上、１０００ｇ未満で不良
×：平均値が１０００ｇ以上で連続操業できなかった。
【００３９】
・殺菌性の評価
試験区分２で調製した各水性原液を検液とし、この検液と対照液とを用いて、厚生省編纂衛生検査指針「消毒薬検査指針」に準拠して試験した。使用菌は大腸菌Ｏ−１６株とし、菌液は標準寒天平板培地に３７℃で２４時間培養したコロニーを滅菌蒸留水１０mlに１白金耳浮遊させて調製した（１０7個／１ml）。作用時間は５分とし、３７℃で４８時間培養後、菌の生育の有無を観察し、以下の基準で評価した。結果を表２にまとめて示した。
・・評価基準
◎：０．０５％未満の濃度で殺菌性を認める
○：０．０５％以上、０．１％未満の濃度まで殺菌性を認める
△：０．１％以上、１％未満の濃度まで殺菌性を認める
×：１％未満の濃度では殺菌性を認めない
【００４０】
・抑泡性の評価
試験区分２で調製した各水性原液を更に水希釈して０．１％水性液１００mlを調製した。これを２００ml共栓付きメスシリンダーに静かに注ぎ込み、密栓後、１秒間に上下２０cmの距離を２往復する速度で５秒間振とうした後、静置した。静置１分後の泡の体積を測定して、以下の基準で評価した。
・・評価基準
◎：１０ml未満
○：１０ml以上４０ml未満
△：４０ml以上１００ml未満
×：１００ml以上
【００４１】
【表２】
0003928991.tif 000005
【００４２】
表２において、
コンベアベルト用殺菌潤滑剤の水性液の供給量：コンベアベルト１ｍ2当たりの供給量（ml）
Ｐ−１〜Ｐ−４，Ｒ−１〜Ｒ−５：試験区分１で合成した有機リン酸エステル化合物
Ｓ−１：ジデシルジメチルアンモニウムクロライド
Ｓ−２：ラウリルジメチルベンジルクロライド
Ｓ−３：オクチル（アミノエチル）グリシン塩酸塩
Ｓ−４：ラウリルトリメチルアンモニウムクロライド
ｒ−１：Ｎ−［２−｛（２−オクチルアミノ−エチル）−アミノ｝−エチル］グリシンナトリウム塩
ｒ−２：塩化ベンザルコニウム／Ｎ−ミリスチルグリシン塩酸塩＝３０／７０（重量比）の混合物
ｒ−３：ヤシ脂肪酸カリウム／ラウリルトリメチルアンモニウムクロライド／ヤシアルキルジメチルベンジルアンモニウムクロライド＝５０／３０／２０（重量比）の混合物
ｒ−４：ポリオキシエチレン（ｎ＝８）ラウリルエーテルリン酸ナトリウム／アルキルジメチルベンジルアンモニウムクロライド＝７５／２５（重量比）の混合物
ｒ−５：ポリオキシエチレン（ｎ＝２）オレイルエーテルリン酸／ココナットプロピレンジアミン＝８２／１８（重量比）の混合物
ｒ−６：モノアルコキシジエトキシエチルリン酸エステルアンモニウム塩／アルコキシジエトキシエチルアルコール＝５０／５０（重量比）の混合物、ここでアルコキシジエトキシエチル及びアルコキシジエトキシエチルアルコールのアルコキシ基の炭素数は１４、１５である
ｒ−７：オレイルザルコシン／ナトリウムＮ−メチル−Ｎ−オレイルタウレート＝７０／３０（重量比）の混合物
ｒ−８：アルコキシノナエトキシエチルリン酸エステルナトリウム塩／ドデシルベンゼンスルホン酸ナトリウム塩／ヒマワリ油脂肪酸＝４０／４５／１５（重量比）の混合物、ここでアルコキシノナエトキシエチルのアルコキシ基の炭素数は１２〜１８である
これらは以下同じ
【００４３】
試験区分４（コンベアベルト用殺菌潤滑剤に次亜塩素酸塩を併用した場合の評価）
・潤滑性の評価
試験区分３と同様に評価した。但しここでは、試験区分２で調製した各水性原液に次亜塩素酸ナトリウム塩の水溶液を加えて、次亜塩素酸ナトリウム塩を０．００１％含有する０．２％水性液となし、この水性液をコンベアベルト１ｍ2当たり１５mlの割合で供給した。
【００４４】
・殺菌性の評価
試験区分２で調製した各水性原液に次亜塩素酸ナトリウム塩の水性液を加えて、コンベアベルト用殺菌潤滑剤を１０％、次亜塩素酸ナトリウム塩を１％含有する混合水性液を検液とし、この検液と対照液とを用いて、試験区分３と同様に試験し、下記の基準で評価した。結果を表３にまとめて示した。
・・評価基準
◎：０．０２％未満の濃度で殺菌性を認める
○：０．０２％以上、０．０５％未満の濃度まで殺菌性を認める
△：０．０５％以上、０．２％未満の濃度まで殺菌性を認める
×：０．２％未満の濃度では殺菌性を認めない
【００４５】
・抑泡性の評価
試験区分２で調製した各水性原液に次亜塩素酸ナトリウム塩の水溶液を加えて、コンベアベルト用殺菌潤滑剤を０．１％、次亜塩素酸ナトリウム塩を０．０１％含有する混合水性液１００mlを調製した。これを用いて、試験区分３と同様に試験し、評価した。結果を表３にまとめて示した。
【００４６】
【表３】
0003928991.tif 000006
【００４７】
表３において、
次亜塩素酸塩の使用量：コンベアベルト用殺菌潤滑剤１００部に対する部
【００４８】
【発明の効果】
既に明らかなように、以上説明した本発明には、コンベアベルトの高速走行時においても、潤滑性及び殺菌性を同時に充足し、且つ泡立ちが少ないという効果がある。
【図面の簡単な説明】
【図１】本発明において用いた試験機を略示する正面図。
【符号の説明】
１・・・モータ、５・・・コンベアベルト、９・・・荷重計
【図１】
0003928991.tif 000009